(57)【要約】【課題】例えばＥＨＣ等の電熱ヒータ付き触媒を備えるハイブリッド自動車の触媒暖機制御装置において、回生電力を有効に利用しつつ、ＥＨＣの過剰な加熱を防止する。【解決手段】触媒暖機制御装置は、内燃機関（１０）、電動機（１３，１６）、及び内燃機関の排気通路に配置されており通電により加熱される通電加熱触媒（２１）を備えるバイブリッド自動車（１００）において、通電過熱触媒の暖機を制御する。触媒暖機制御装置は、通電加熱触媒の温度を特定する第１温度特定手段（２２）と、通電の最中において特定された温度が所定の第１温度閾値より高い場合に、内燃機関で燃焼を伴わないモータリングが電動機により行われるように、内燃機関及び電動機を制御する温度制御手段（３０）とを備える。【選択図】図２
2009227039.tif 000002
【特許請求の範囲】
【請求項１】
内燃機関、電動機、及び前記内燃機関の排気通路に配置されており通電により加熱される通電加熱触媒を備えるバイブリッド自動車において、前記通電過熱触媒の暖機を制御する触媒暖機制御装置であって、
前記通電加熱触媒の温度を特定する第１温度特定手段と、
前記通電の最中において前記特定された温度が所定の第１温度閾値より高い場合に、前記内燃機関で燃焼を伴わないモータリングが前記電動機により行われるように、前記内燃機関及び前記電動機を制御する温度制御手段と
を備えることを特徴とするハイブリッド自動車の触媒暖機制御装置。
【請求項２】
前記ハイブリッド自動車は、前記排気通路における前記通電過熱触媒より下流に配置されており前記通電加熱触媒を経由して来る排気により暖機される気体暖機触媒を更に備えることを特徴とする請求項１に記載のハイブリッド自動車の触媒暖機制御装置。
【請求項３】
前記気体暖機触媒の温度を特定する第２温度特定手段を更に備え、
前記温度制御手段は、前記通電の最中において前記第２温度特定手段により特定された前記温度が所定の第２温度閾値より低い場合に、前記モータリングが行われるように前記内燃機関及び前記電動機を制御する
ことを特徴とする請求項２に記載のハイブリッド自動車の触媒暖機制御装置。
【請求項４】
前記温度制御手段は、前記第２温度特定手段により特定された前記温度が前記第２温度閾値より高い第３温度閾値に達した場合に、前記モータリングを停止するように前記内燃機関及び前記電動機を制御する
ことを特徴とする請求項３に記載のハイブリッド自動車の触媒暖機制御装置。
【請求項５】
前記通電を行う又は停止する通電制御手段を更に備えることを特徴とする請求項１から４のいずれか一項に記載のハイブリッド自動車の触媒暖機制御装置。
【請求項６】
前記ハイブリッド自動車は、蓄電器及び発電機を更に備え、
前記通電制御手段は、前記通電を選択的に、前記蓄電器又は前記発電機から行うことを特徴とする請求項５に記載のハイブリッド自動車の触媒暖機制御装置。
【請求項７】
前記通電制御手段は、前記蓄電器の充電量が所定の充電量閾値より高い場合に、前記通電を前記発電機から行うことを特徴とする請求項６に記載のハイブリッド自動車の触媒暖機制御装置。
【請求項８】
前記通電制御手段は、前記充電量が前記充電量閾値より低い場合に、前記通電を前記蓄電器から行うことを特徴とする請求項６又は７に記載のハイブリッド自動車の触媒暖機制御装置。
【請求項９】
前記通電制御手段は、前記第１温度特定手段により特定された前記温度が、前記第１温度閾値より高い第４温度閾値に達した場合に、前記通電を停止することを特徴とする請求項５から８のいずれか一項に記載のハイブリッド自動車の触媒暖機制御装置。
【請求項１０】
前記通電制御手段は、前記モータリングが停止されるのに応じて、前記通電を停止することを特徴とする請求項５から９のいずれか一項に記載のハイブリッド自動車の触媒暖機制御装置。
【請求項１１】
前記通電制御手段は、前記モータリングが停止された場合に、前記通電を所定の期間行った後に前記通電を停止することを特徴とする請求項１０に記載のハイブリッド自動車の触媒暖機制御装置。
【請求項１２】
前記通電制御手段は、前記期間として、前記モータリングが停止されてから、前記内燃機関の回転数又は前記排気通路を流れる空気の流量が零となるまでの期間、前記通電を継続して行うことを特徴とする請求項１１に記載のハイブリッド自動車の触媒暖機制御装置。
【請求項１３】
前記通電制御手段は、前記期間に、前記内燃機関の回転数又は前記排気通路を流れる空気の流量の減少に応じて前記通電に係る通電量を減少させることを特徴とする請求項１２に記載のハイブリッド自動車の触媒暖機制御装置。
【発明の詳細な説明】
【技術分野】
【０００１】
本発明は、例えばＥＨＣ（Ｅｌｅｃｔｒｉｃ  Ｈｅａｔｉｎｇ  Ｃａｔａｌｙｓｔ）等の電熱ヒータ付き触媒を備えるハイブリッド自動車において触媒の暖機を制御する触媒暖機制御装置の技術分野に関する。
【背景技術】
【０００２】
この種の触媒暖機制御装置として、例えばハイブリッド自動車において、エンジンの停止中であってバッテリの充電量が一定値以下である場合に、モータによる回生電力をＥＨＣに供給することで、エンジンの始動に先だって触媒の暖機を行い、触媒を活性化させるものがある（特許文献１参照）。
【０００３】
また、例えばハイブリッド自動車において、電動機により車両が走行している際（言い換えれば、エンジンの停止中）に、ＥＨＣに電力を供給してＥＨＣを加熱することで、エンジンの始動時において、加熱された触媒により十分な排気ガス低減を図る触媒暖機制御装置がある（特許文献２参照）。
【０００４】
また、例えばハイブリッド自動車において、バッテリの充電量が低下し、内燃機関の始動が必要になった場合に、内燃機関の始動に先立ってＥＨＣへの通電を行い、触媒を加熱することで、エミッションの排出を抑える触媒暖機制御装置がある（特許文献３参照）。
【０００５】
【特許文献１】特開平６−１７８４０１号公報
【特許文献２】特開平８−３３８２３５号公報
【特許文献３】特開平１０−２８８０２８号公報
【発明の開示】
【発明が解決しようとする課題】
【０００６】
しかしながら、特許文献１から３の触媒暖機制御装置によれば、ＥＨＣに対して電力が長時間供給（言い換えれば、電流が通電）されると、ＥＨＣが過剰に加熱されて損傷してしまいかねないという技術的問題点がある。その一方で、ＥＨＣの過剰な加熱を防止するための制御（即ち、ＯＴ（Ｏｖｅｒ  Ｔｅｍｐｅｒａｔｕｒｅ）或いはＯＨ（Ｏｖｅｒ  Ｈｅａｔ）防止制御）として、ＥＨＣへの電力供給が停止されると、回生時に回生電力が利用されずに無駄になってしまうという技術的問題点もある。
【０００７】
本発明は、上述した問題点に鑑みなされたものであり、例えば回生電力を有効に利用しつつ、ＥＨＣの過剰な加熱を防止可能なハイブリッド自動車の触媒暖機制御装置を提供することを課題とする。
【課題を解決するための手段】
【０００８】
本発明に係るハイブリッド自動車の触媒暖機制御装置は上記課題を解決するために、内燃機関、電動機、及び前記内燃機関の排気通路に配置されており通電により加熱される通電加熱触媒を備えるバイブリッド自動車において、前記通電過熱触媒の暖機を制御する触媒暖機制御装置であって、前記通電加熱触媒の温度を特定する第１温度特定手段と、前記通電の最中において前記特定された温度が所定の第１温度閾値より高い場合に、前記内燃機関で燃焼を伴わないモータリングが前記電動機により行われるように、前記内燃機関及び前記電動機を制御する温度制御手段とを備える。
【０００９】
本発明のハイブリッド自動車の触媒暖機制御装置によれば、その制御対象となるハイブリッド自動車は、内燃機関及び電動機の他に、典型的には、発電機、動力分配機構及び蓄電器を備える。ここに「内燃機関」は、典型的にはシリンダ内をピストンが往復運動する内燃機関であるが、他のロータ等を有する型でもよい。「電動機」は、ジェネレータから独立したモータ又はモータジェネレータ（電動発電機）を備えて構成され、例えば、モータ及びジェネレータが、動力分配機構を介して配置されている。回生時に、発電機又は電動発電機で発電された電力（回生電流）は、典型的には、蓄電器に充電される。例えば力行時に、充電器に充電された電力（即ち力行電流）で、モータが回ることで、車輪が駆動される。本発明のハイブリッド自動車は特に、排気系に通電加熱触媒を備える。「通電加熱触媒」は、例えば電熱ヒータ等付きの触媒（即ち、ＥＨＣ）であって、例えば、電熱ヒータへの通電により触媒が加熱（即ち、暖機）されることで、排気を効率よく浄化する活性状態となる。
【００１０】
ここで本願発明者によれば、回生電力を有効利用しようとして、むやみに通電加熱触媒に対して長時間通電を行うと、触媒が過剰に加熱されてしまう、即ち通電加熱触媒でオーバーヒートが発生してしまう、即ち熱で通電加熱触媒が一時的若しくは恒久的に劣化してしまう或いは機能不全に陥ってしまうことが判明している。
【００１１】
そこで本発明では先ず、このように構成されたハイブリッド車両の走行時や停車時に、第１温度特定手段によって、通電により加熱されている通電加熱触媒の温度が、定期的に又は不定期に特定される。本発明に係る温度についての「特定」とは、例えば温度を直接又は間接的に検出、測定、推定、算出等すればよく、何らかの形で温度を特定又は取得できればよい趣旨である。
【００１２】
続いて、このように特定された温度が所定の第１温度閾値より高い場合に、例えば内燃機関ＥＣＵ（Ｅｎｇｉｎｅ  Ｃｏｎｔｒｏｌｌｉｎｇ  Ｕｎｉｔ）、モータＥＣＵ、及びハイブリッドＥＣＵの一部から構成される温度制御手段によって、内燃機関で燃焼を伴わないモータリングが電動機により行われるように、内燃機関及び電動機が制御される。即ち、温度制御手段による制御下で、内燃機関では、燃焼室内で点火プラグや圧縮等による点火が行われず、或いはこれに加えて燃焼室内へ燃料が供給されない。これと並行して或いは相前後して、電動機によって内燃機関でのモータリングが行われる。ここに「モータリング」とは、内燃機関内での燃焼を伴うことなく、内燃機関が電動機の電動機能により連れ回されることを意味する。典型的な内燃機関では、燃焼を伴うことなくピストンがシリンダ内で往復運動される。
【００１３】
本発明に係る「第１温度閾値」は、例えば、通電加熱触媒において、オーバーヒートを判定するための温度閾値であり、その具体的な値は、通電加熱触媒が実際にオーバーヒートとなる際の温度に多少のマージンを加味した値として、実験的、経験的或いはシミュレーションにより設定可能である。
【００１４】
或いは、「第１温度閾値」は、例えば、通電加熱触媒において、活性状態を判定するための温度閾値であり、その具体的な値は、温度を変化させた場合における通電加熱触媒の活性度を実験的、経験的或いはシミュレーションにより特定することで、所望の活性状態が得られるようになる温度として設定可能である。
【００１５】
尚、上記いずれの場合にも、特定された温度が第１温度閾値と等しい場合に、同様にモータリングが行われてもよいし、行われなくてもよい。
【００１６】
従って、「第１温度閾値」をオーバーヒート判定用の温度閾値として設定した場合であれば、通電加熱触媒でオーバーヒートが発生する前に、モータリングによって、吸気系、燃焼室及び排気系を介して未燃焼の空気、即ち冷気を送風することによって、排気系に設けられた通電加熱触媒を、冷却できる。言い換えれば、モータリングの際に、燃焼室内を往復運動するピストン、燃焼室内を回転するロータ等を、排気通路に空気を送る“送風ポンプ”として機能させることで、通電加熱触媒のオーバーヒートを未然防止できる。
【００１７】
或いは、「第１温度閾値」を活性状態判定用の温度閾値として設定した場合であれば、通電加熱触媒で活性状態を確立しつつ、モータリングによって、排気系において通電加熱触媒の後段或いは下流側に配置された部位（例えば、後述の気体暖機触媒）に対して、通電加熱触媒で暖めた空気或いは排気を送り込むことが可能となる。即ち、通電加熱触媒の活性状態を崩すことなく、モータリングによって通電加熱触媒の下流側の暖機を行える。
【００１８】
しかも、上記いずれの場合にも、回生電力を一旦蓄電器に蓄えた後に通電する型式のみならず、回生電力の一層の有効利用に繋がる、回生電力を直接通電する型式でも、モータリングによる通電加熱触媒のオーバーヒートの防止や、モータリングによる通電加熱触媒の下流側の暖機は、実行可能である。
【００１９】
以上の結果、回生電力を有効に利用しつつモータリングを適宜行うことによって、通電加熱触媒の過剰な加熱を防止でき、或いは、これに加えて又は代えて、通電加熱触媒の下流側を暖機できる。
【００２０】
本発明に係るハイブリッド自動車の触媒暖機制御装置の一態様では、前記ハイブリッド自動車は、前記排気通路における前記通電過熱触媒より下流に配置されており前記通電加熱触媒を経由して来る排気により暖機される気体暖機触媒を更に備える。
【００２１】
この態様によれば、モータリングによる空気は、通電加熱触媒を通過する際に、触媒加熱媒体を冷却する反作用として、通電加熱触媒の熱を吸熱して暖められる。この暖められた空気が、その下流に配置されている気体暖機触媒を通過することによって、気体暖機触媒を暖めることができる。即ち、通電加熱触媒における過剰な加熱の防止と、気体暖機触媒の暖機とを同一機会として実行でき、全体としてのエネルギ効率を顕著に高めることが可能となる。
【００２２】
この態様では、前記気体暖機触媒の温度を特定する第２温度特定手段を更に備え、前記温度制御手段は、前記通電の最中において前記第２温度特定手段により特定された前記温度が所定の第２温度閾値より低い場合に、前記モータリングが行われるように前記内燃機関及び前記電動機を制御するように構成してもよい。
【００２３】
このように構成すれば、その動作時に、上述の第１温度特定手段による温度の特定と並行して或いは相前後して、第２温度特定手段により、気体暖機触媒の温度が、定期的に又は不定期に特定される。続いて、このように特定された温度が所定の第２温度閾値より低い場合に、温度制御手段によって、モータリングが行われるように、内燃機関及び電動機が制御される。ここで「第２温度閾値」を気体暖機触媒における活性状態を判定するための温度閾値として設定することで、気体暖機触媒を活性状態とするように暖機すべき場合に、モータリングによって通電加熱触媒で暖められた空気或いは排気を、気体暖機触媒にまで送り込むことで、気体暖機触媒の暖機を行うことが可能となる。「第２温度閾値」の具体的な値は、例えば、温度を変化させた場合における気体暖機触媒の活性度を実験的、経験的或いはシミュレーションにより特定することで、所望の活性状態となる際の最低或いは下限付近の温度として設定可能である。尚、特定された温度が第２温度閾値と等しい場合に、同様にモータリングを行ってもよいし、行わなくてもよい。
【００２４】
このように、モータリングを適宜行うことによって、通電加熱触媒の下流側をその必要に応じて暖機できる。
【００２５】
この態様では、前記温度制御手段は、前記第２温度特定手段により特定された前記温度が前記第２温度閾値より高い第３温度閾値に達した場合に、前記モータリングを停止するように前記内燃機関及び前記電動機を制御してもよい。
【００２６】
このように構成すれば、その動作時に、第２温度特定手段により特定された温度が所定の第３温度閾値に達した場合に、温度制御手段によって、モータリングが停止されように、内燃機関及び電動機が制御される。ここで「第３温度閾値」を、気体暖機触媒が十分に暖機された際の或いはそれ以上暖めると劣化が生じる温度閾値として設定することで、気体暖機触媒をそれ以上暖める必要がない場合に或いはそれ以上暖めると却って劣化という弊害が生じる場合に、モータリングによる気体暖機触媒の暖機を停止することが可能となる。「第３温度閾値」の具体的な値は、例えば温度を変化させた場合における気体暖機触媒の活性度を実験的、経験的或いはシミュレーションにより特定することで、所望の活性状態となる際の最高或いは上限付近の温度として設定可能である。尚、第３温度閾値に「達した場合」とは、「以上である場合」でも「より大きい」のいずれの意味であっても同様の効果が得られる。
【００２７】
このように、気体暖機触媒を必要に応じて暖機しつつ、無駄なモータリングを行わなくて済み、或いは、気体暖機触媒を過加熱せずに済む。
【００２８】
本発明に係るハイブリッド自動車の触媒暖機制御装置の他の態様では、前記通電を行う又は停止する通電制御手段を更に備える。
【００２９】
この態様によれば、例えば温度制御手段と同一又は異なる内燃機関ＥＣＵ、モータＥＣＵ、及びハイブリッドＥＣＵの一部から構成される通電制御手段によって、各種条件に応じて適宜、通電加熱触媒への通電を行ったり、停止したりすることが可能となる。基本的には、通電加熱触媒自体を暖機すべき又は通電加熱触媒での発熱を利用して後段の部位を暖機すべき場合に、通電を実行可能となる。逆に、通電加熱触媒を加熱すべきでない場合又は通電加熱触媒での発熱により後段の部位を暖機すべきでない場合に、通電を停止可能となる。
【００３０】
この態様では、前記ハイブリッド自動車は、蓄電器及び発電機を更に備え、前記通電制御手段は、前記通電を選択的に、前記蓄電器又は前記発電機から行う。
【００３１】
このように構成すれば、通電制御手段によって、各種条件に応じて適宜、蓄電器から通電を行ったり、発電機から通電を行ったりが可能となる。ここに「蓄電器」は、典型的には、バッテリであるが、例えば大型コンデンサ等の蓄電可能な機器であれば任意である。また「発電機から行う」は、例えば発電機或いは電動発電機から直接行う、即ち、発電機による回生電力を通電加熱触媒に直接供給することである。尚、発電機による回生電力を一旦蓄電器に蓄電し、これを後に蓄電器から通電加熱触媒に供給する、即ち、蓄電器を経由して供給してもよい。或いは、蓄電器は、（発電機によるだけでなく、或いは発電機によるのでなく）部分的に又は専ら家庭用電源や電気ステーションのコンセントを経由して蓄電されてもよい。
【００３２】
従って例えば、通電加熱触媒への通電を、蓄電器の充電量に応じて、蓄電器又は発電機から実行可能となる。これにより、例えば蓄電器への充電が必要な場合（例えば、充電量が一定量より少ない場合）等に、回生電力を無駄にすることがない。
【００３３】
この通電を選択的に行う態様では、前記通電制御手段は、前記蓄電器の充電量が所定の充電量閾値より高い場合に、前記通電を前記発電機から行ってもよい。
【００３４】
このように構成すれば、充電量が充電量閾値より高い場合に、例えば充電器が既に十分な電力を充電しているとして、発電機による回生電力を直接通電に使用する。このため、回生電力を一旦蓄電器に充電するための変換処理が不要となり、回生電力を効率よく使用することができる。
【００３５】
この通電を選択的に行う態様では、前記通電制御手段は、前記充電量が前記充電量閾値より低い場合に、前記通電を前記蓄電器から行ってもよい。
【００３６】
このように構成すれば、充電量が充電量閾値より低い場合に、例えば充電器には未だ十分な充電量が充電されていないとして、発電機による回生電力を一旦蓄電器に充電し、この蓄電器に充電されている回生電力を通電に使用する。このため、通電加熱触媒の通電が停止された場合に、回生電力を無駄にすることがない。尚、充電量が充電量閾値より低い場合であっても、状況によっては、通電を発電機から行ってもよい。
【００３７】
上述の通電制御手段を更に備える態様では、前記通電制御手段は、前記第１温度特定手段により特定された前記温度が、前記第１温度閾値より高い第４温度閾値に達した場合に、前記通電を停止するように構成されてもよい。
【００３８】
このように構成すれば、その動作時に、第１温度特定手段により特定された温度が所定の第４温度閾値に達した場合に、通電制御手段によって、通電が停止される。ここで「第４温度閾値」を、それ以上暖めると通電加熱触媒に劣化が生じる温度閾値として設定することで、それ以上暖めると劣化が生じる場合に、通電による暖機を停止することが可能となる。即ち、通電し過ぎて、通電加熱触媒がオーバーヒートすることを確実に回避できる。「第４温度閾値」の具体的な値は、例えば温度を変化させた場合における通電加熱触媒の活性度を実験的、経験的或いはシミュレーションにより特定することで、所望の活性状態となる際の最高或いは上限付近の温度として設定可能である。この場合に、「第１温度閾値」は、前述した通電加熱触媒における活性状態判定用の温度閾値である。尚、第４温度閾値に「達した場合」とは、「以上である場合」でも「より大きい」のいずれの意味であっても同様の効果が得られる。
【００３９】
上述の通電制御手段を更に備える態様では、前記通電制御手段は、前記モータリングが停止されるのに応じて、前記通電を停止するように構成されてもよい。
【００４０】
このように構成すれば、モータリングが停止された後に、通電加熱媒体の温度が上昇することがなく、通電加熱触媒の過剰な加熱を未然防止できる。
【００４１】
上述の通電制御手段を更に備える態様では、前記通電制御手段は、前記モータリングが停止された場合に、前記通電を所定の期間行った後に前記通電を停止するように構成してもよい。
【００４２】
このように構成すれば、通電加熱触媒の通電停止後にもモータリングを所定時間だけ続けることで、排気通路に沿って空気或いは排気が流れるのに要する時間に応じた、通電加熱触及び気体暖機触媒間における熱の出入に係るタイムラグによる影響を吸収することが可能となる。これにより、目標とする気体暖機触媒の暖機状態等をより確実に実現できる。ここに「所定の期間」とは、モータリング停止後に、排気通路内の空気或いは排気により熱が運ばれ続ける期間に対応しており、その値は、排気通路の構成や排気通路上の通電加熱触媒及び気体暖機触媒の配置などが決まれば、計算や実験等により決められる。所定の期間は、例えば、コンマ数秒から数秒程度という比較的短時間であるので、多少大きめに設定しても実用上の不都合は殆どない。
【００４３】
この態様では、前記通電制御手段は、前記期間として、前記モータリングが停止されてから、前記内燃機関の回転数又は前記排気通路を流れる空気の流量が零となるまでの期間、前記通電を継続して行ってもよい。
【００４４】
このように構成すれば、モータリングの停止後に移動する空気或いは排気の影響をまでも考慮した上で、より過不足なく通電加熱触媒の冷却及び気体暖機触媒の加熱等を行うことが可能となる。
【００４５】
この態様では、前記通電制御手段は、モータリングの停止後、内燃機関の回転数又は排気通路を流れる空気の流量が減少するのに応じて、通電に係る通電量が減少されつつ通電が継続され、内燃機関の回転数又は排気通路を流れる空気の流量がゼロになるのに応じて、通電量もゼロとされる。この際、例えば回転数が低くなる程、排気通路における空気の流量が少なくなり、該空気により通電加熱触媒の熱が吸熱され難くなる。このため、通電制御手段は、例えば内燃機関の回転数が低くなるに連れて、通電加熱触媒への通電量を低減する。従って、モータリングの停止後に移動する空気或いは排気の影響をより厳格に考慮した上で、より一層過不足なく通電加熱触媒の冷却及び気体暖機触媒の加熱等を行うことが可能となる。
【００４６】
発明の作用及び他の利得は次に説明する実施するための最良の形態から明らかにされる。
【発明を実施するための最良の形態】
【００４７】
以下、本発明の実施形態について図を参照しつつ説明する。
＜第１実施形態＞
先ず、第１実施形態に係るハイブリッド自動車の触媒暖機制御装置の構成について図１を参照して説明する。ここに図１は、第１実施形態に係るハイブリッド自動車の触媒暖機制御装置の概要を示すブロック図である。
【００４８】
（ハイブリッド自動車の構成）
図１において、本実施形態に係るハイブリッド自動車１００は、動力系として、エンジン（内燃機関）１０、動力分配機構１１、駆動輪１２、ジェネレータ１３、インバータ１４、バッテリ１５、モータ１６、及び減速機１７を、排気系として、ＥＨＣ２１、及び三元触媒２３を、制御系として、ハイブリッドＥＣＵ３０、エンジンＥＣＵ３１、及びモータＥＣＵ３２を備える。
【００４９】
エンジン１０は、不図示の動弁系、吸気系、燃料系、点火系、及び排気系を備えており、エンジンＥＣＵ３１の制御により燃焼行程を実行し、出力軸を回転させる。エンジン１０には、排気通路２０が接続されている。本実施形態では、エンジン１０は、ＥＨＣ２１の温度に応じて、点火プラグ及び燃料噴射弁を停止させた状態で、動弁系におけるピストンを往復運動させる、即ち、燃焼を伴わない本発明にかかる「モータリング」の一例を行う。このモータリングにより、不図示の燃焼室内から排気通路２０に押し出された空気（吸気）が、ＥＨＣ２１を冷却すると共に、ＥＨＣ２１より下流にある三元触媒２３を暖機する。
【００５０】
動力分配機構１１は、不図示の遊星歯車を備えており、エンジン１０の出力軸の回転により、駆動輪１２及びジェネレータ１３を駆動する。エンジン１０の回転力は、エンジン駆動時に、減速機１７を介して駆動輪１２に伝達される。
【００５１】
ジェネレータ１２は、本発明に係る「発電機或いは電動発電機」の一例として、動力分配機構１１により駆動され、発電する。この発電による電力は、インバータ１４を介してバッテリ１５に充電される。
【００５２】
インバータ１４は、ジェネレータ１３又はモータ１６からの交流電流を直流電流に変換し、バッテリ１５に電力を充電する。
【００５３】
バッテリ１５は、本発明に係る「蓄電器」の一例として、ジェネレータ１３による発電電力、及びモータ１６による回生電力を充電する。バッテリ１５は、ハイブリッドＥＣＵ３０の制御により、蓄えている電力を、インバータ１４を介して、モータ１６及びＥＨＣ２１に供給する。
【００５４】
モータ１６は、本発明に係る「電動機或いは電動発電機」の一例として、モータＥＣＵ３２の制御により、ジェネレータ１３若しくはバッテリ１５、又はジェネレータ１４及びバッテリ１３から電力を供給され、駆動される。モータ１６の駆動力は、モータ駆動時、及びエンジン１０の始動前を含むエンジン駆動時に、減速機１７を介して駆動輪１２に伝達される。本実施形態では特に、モータ１６の駆動力は、エンジン１０をアシストするために用いられたり、ジェネレータ１３で充電するために用いられるが、本実施形態では特に、ＥＨＣ２１の温度に応じて選択的にモータリングを行う際に、エンジン１０の駆動軸に伝達される。即ち、モータリングの際には、モータ１６の駆動力がカムシャフト等を介してピストンに伝えられ、燃焼せずともピストンがシリンダ内を往復運動される。
【００５５】
ＥＨＣ２１は、本発明に係る「通電加熱触媒」の一例として、不図示の電熱ヒータ付きの三元触媒である。ＥＨＣ２１は、ハイブリッドＥＣＵ３０の制御により、バッテリ１５に充電されているバッテリ電力、又はモータ１６による回生電力で通電される。この通電により、ＥＨＣ２１における三元触媒の暖機が行われる。ＥＨＣ２１は、ＥＨＣ温度センサ２２を備える。ＥＨＣ温度センサ２２は、本発明に係る「第１温度特定手段」の一例として、ＥＨＣ２１の三元触媒の温度（以下、単に「ＥＨＣ２１の温度」と言う）を取得し、該温度を示す信号をエンジンＥＣＵ３１に送信する。
【００５６】
三元触媒２３は、本発明に係る「気体暖機触媒」の一例として、排気通路２０におけるＥＨＣ２１より下流に配置されている。三元触媒２３は、ＥＨＣ２１が通電により加熱されるのと異なり、上流に配置されているＥＨＣ２１を経由する排気により加熱（暖機）される。本実施形態では、三元触媒２３は、該排気の他に、モータリングによりＥＨＣ２１を経由して送られる空気により暖機される。三元触媒２３は、三元触媒温度センサ２４を備える。三元触媒温度センサ２４は、本発明に係る「第２温度特定手段」の一例として、三元触媒２３の温度を取得し、該温度を示す信号をエンジンＥＣＵ３１に送信する。
【００５７】
（ハイブリッド自動車の制御）
ハイブリッドＥＣＵ３０は、本発明に係る「温度制御手段」及び「通電制御手段」の一例として、ＣＰＵ、ＲＯＭ、ＲＡＭ及びＡ／Ｄ変換器等を含んで構成され、ハイブリッド自動車１００の各部を総括的に制御する。ハイブリッドＥＣＵ３０は、エンジンＥＣＵ３１における触媒の温度に基づく判定結果に応じて、エンジンＥＣＵ３１及びモータＥＣＵ３２を介して、エンジン１０及びモータ１６を制御して、モータリングを開始又は停止する。また、ハイブリッドＥＣＵ３０は、モータＥＣＵ３２を介してモータ１６を制御して、ＥＨＣ２１への通電を開始又は停止する。
【００５８】
ハイブリッドＥＣＵ３０は、バッテリ１５の充電量ＳＯＣ（Ｓｔｏｒａｇｅ  Ｏｆ  Ｃｈａｒｇｅ）を検出し、該充電量ＳＯＣ１が充電量閾値ＳＯＣ０より高いか否かを判定する。充電量閾値ＳＯＣ０は、例えばモータ１６を駆動するために必要とされる充電残量を示す。ハイブリッドＥＣＵ３０は、充電量ＳＯＣ１が充電量閾値ＳＯＣ０より高い場合に、バッテリ１５にモータ１６を駆動するための十分な充電残量があるとして、モータＥＣＵ３２を介してモータ１６を制御して、モータ１６による回生電力を直接にＥＨＣ２１に通電する。
【００５９】
エンジンＥＣＵ３１は、本発明に係る「温度制御手段」の一例として、図示しないＣＰＵ、ＲＯＭ、ＲＡＭ及びＡ／Ｄ変換器等を含んで構成される。エンジンＥＣＵ３１は、ＥＨＣ温度センサ２２によるＥＨＣ２１の温度Ｃａ１が活性温度Ｃａ０１以上であるか否かを判定する。活性温度Ｃａ０１は、本発明に係る「第１温度閾値」の一例として、ＥＨＣ２１における三元触媒が活性状態となる温度を示す。また、エンジンＥＣＵ３１は、三元触媒温度センサ２４による三元触媒２３の温度Ｃｂ１が活性温度Ｃｂ０１以上であるか否かを判定する。活性温度Ｃｂ０１は、本発明に係る「第２温度閾値」の一例として、三元触媒２４が活性状態となる温度を示す。エンジンＥＣＵ３１は、これらの判定結果をハイブリッドＥＣＵ３０に送信する。
【００６０】
モータＥＣＵ３２は、本発明に係る「温度制御手段」の一例として、図示しないＣＰＵ、ＲＯＭ、ＲＡＭ及びＡ／Ｄ変換器等を含んで構成される。モータＥＣＵ３２は、モータ１６が回生発電を行っている最中であるか否かを判定する。モータＥＣＵ３２は、この判定結果をハイブリッドＥＣＵ３０に送信する。
【００６１】
次に、本発明の温度制御手段及び通電制御手段による触媒暖機制御処理について図を参照しつつ説明する。
【００６２】
（第１触媒暖機制御処理）
本実施形態に係る第１触媒暖機制御処理について図２を参照して説明する。ここで図２は、本実施形態に係る第１触媒暖機制御処理を示すフローチャートである。
【００６３】
図２において、先ずモータＥＣＵ３２により、モータ１６が回生発電中か否かが判定される（ステップＳ５１）。この判定の結果、回生発電中でない場合に（ステップＳ５１：ＮＯ）、ハイブリッドＥＣＵ３０により、バッテリ１５への回生電力の充電が停止される（ステップＳ５２）。
【００６４】
一方、ステップＳ５１の判定結果により、モータ１６が回生発電中である場合に（ステップＳ５１：ＹＥＳ）、ハイブリッドＥＣＵ３０により、バッテリの充電量ＳＯＣ１が充電量閾値ＳＯＣ０以上であるか否かが判定される（ステップＳ５３）。この判定の結果、充電量閾値ＳＯＣ０より少ない場合に（ステップＳ５３：ＮＯ）、回生電力がバッテリ１５に充電される（ステップＳ５４）。
【００６５】
一方、ステップＳ５３の判定結果により、充電量ＳＯＣ１が充電量閾値ＳＯＣ０以上である場合に（ステップＳ５３：ＹＥＳ）、ハイブリッドＥＣＵ３０により、ＥＨＣ２１への通電が開始される（ステップＳ５５）。この際に、モータ１６による回生電力が直接にＥＨＣ２１に通電される。続いて、エンジンＥＣＵ３１により、ＥＨＣ２１の温度Ｃａ１が活性温度Ｃａ０１以上であるか否かが判定される（ステップＳ５６）。この判定の結果、活性温度Ｃａ０１より低い場合に（ステップＳ５６：ＮＯ）、通電が継続され（ステップＳ５７）、この後、再びステップＳ５１の処理が行われる。
【００６６】
一方、ステップＳ５６の判定結果により、ＥＨＣ２１の温度Ｃａ１が活性温度Ｃａ０１以上である場合に（ステップＳ５６：ＹＥＳ）、ハイブリッドＥＣＵ３０により、モータリングが開始される（ステップＳ５８）。続いて、エンジンＥＣＵ３１により、三元触媒２４の温度Ｃｂ１が活性温度Ｃｂ０１以上であるか否かが判定される（ステップＳ５９）。この判定の結果、活性温度Ｃｂ０１より低い場合に（ステップＳ５９:ＮＯ）、再びステップＳ５１の処理が行われる。
【００６７】
一方、ステップＳ５９の判定結果により、三元触媒２４の触媒温度Ｃｂ１が三元触媒の活性温度Ｃｂ０１以上である場合に（ステップＳ５９：ＹＥＳ）、ハイブリッドＥＣＵ３０により、モータリング及びＥＨＣ２１への通電が停止され（ステップＳ６０）、一連の第１触媒暖機制御処理が終了される。尚、一連の第１触媒暖機制御処理の途中であって、バッテリ１５への充電の最中に、回生発電が停止された場合に、その充電が停止され、再びステップＳ５１の処理が行われる。また、ＥＨＣ２１への通電及びモータリングの最中に、回生発電が停止された場合に、その通電及びモータリングが停止され、再びステップＳ５１の処理が行われる。
【００６８】
このように、ＥＨＣ２１が活性状態と判定される場合に、排気通路２０に空気を送ることで、ＥＨＣ２１への通電を継続しながらもＥＨＣ２１を冷却して、ＥＨＣ２１の過加熱を防止すると共に、ＥＨＣ２１からの廃熱を有効に利用して三元触媒２３を暖機することができる。また、バッテリ１５が既に十分な電力を充電していると判定される場合に、回生発電を直接に通電に使用することで、回生電力を効率よく使用することができる。
【００６９】
尚、第１触媒暖機制御処理では、ステップＳ５６によりモータリングの開始を判定するための閾値として、活性温度Ｃａ０１を設定しているが、活性温度Ｃａ０１より高いオーバーヒート温度Ｃａ０２を設定してもよい。オーバーヒート温度Ｃａ０２は、本発明に係る「第４温度閾値」の一例として、ＥＨＣ２１がオーバーヒート状態となる温度を示す。
【００７０】
（第２触媒暖機制御処理）
本実施形態に係る第２触媒暖機制御処理について図３を参照して説明する。ここで図３は、本実施形態に係る第２触媒暖機制御処理を示すフローチャートである。図３において、図２と同様のステップには同様のステップ番号を付し、それらの説明は適宜省略する。第２触媒暖機制御処理では、モータリングの開始を判定するための閾値として、オーバーヒート温度Ｃａ０２が設定されている。
【００７１】
図３において、図２に示したステップＳ５１〜Ｓ５７と同様の処理が行われる。
【００７２】
ここでは特に、ステップＳ５６の判定で、ＥＨＣ２１の温度Ｃａ１が活性温度Ｃａ０１以上である場合に（ステップＳ５６：ＹＥＳ）、エンジンＥＣＵ３１により、ＥＨＣ２１の温度Ｃａ２がオーバーヒート温度Ｃａ０２以上であるか否かが判定される（ステップＳ７０）。この判定の結果、オーバーヒート温度Ｃａ０２より低い場合に（ステップＳ７０：ＮＯ）、通電が継続され（ステップＳ５７）、この後、再びステップＳ５１の処理が行われる。
【００７３】
一方、ＥＨＣ２１の温度Ｃａ２がオーバーヒート温度Ｃａ０２以上である場合に（ステップＳ７０：ＹＥＳ）、図２に示したステップＳ５８〜Ｓ６０と同様の処理が行われる。一方、三元触媒２４の触媒温度Ｃｂ１が三元触媒の活性温度Ｃｂ０１以上である場合に（ステップＳ５９：ＹＥＳ）、モータリング及びＥＨＣ２１への通電が停止され（ステップＳ６０）、一連の第２触媒暖機制御処理が終了される。
【００７４】
このように、ＥＨＣ２１の温度Ｃａ２がオーバーヒート温度Ｃａ０２以上である場合にモータリングを開始するので、モータリングによる冷却作用で、ＥＨＣ２１におけるオーバーヒートを回避できる。また、図２に示した第１触媒暖機制御処理の場合と比較して、排気通路２０に送られる空気の温度を高めることで、三元触媒２３を短時間で暖機することができる。
【００７５】
尚、第１及び第２触媒暖機制御処理では、ステップＳ６０によりモータリング及びＥＨＣ２１への通電を同時に停止するが、これらの停止を段階的に行ってもよい。
【００７６】
（第３触媒暖機制御処理）
本実施形態に係る第３触媒暖機制御処理について図４を参照して説明する。ここで図４は、本実施形態に係る第３触媒暖機制御処理を示すフローチャートである。図３において、図２又は図３と同様のステップには同様のステップ番号を付し、それらの説明は適宜省略する。第３触媒暖機制御処理では、ＥＨＣ２１への通電が停止された場合に、モータリングが所定期間行われた後に停止される。
【００７７】
図４において、図２及び図３に示したステップＳ５１、Ｓ５３〜Ｓ５７と同様の処理が行われる。
【００７８】
ここでは特に、ステップＳ５８のモータリングに続いて、エンジンＥＣＵ３１により、ＥＨＣ２１の温度Ｃａ２がオーバーヒート温度Ｃａ０２以上であるか、又は三元触媒２４の温度Ｃｂ２がオーバーヒート温度Ｃｂ０２以上であるか否かが判定される（ステップＳ７２）。この判定の結果、ＥＨＣ２１の温度Ｃａ２がオーバーヒート温度Ｃａ０２より低く、且つ三元触媒２４の温度Ｃｂ２がオーバーヒート温度Ｃｂ０２より低い場合に（ステップＳ７２:ＮＯ）、再びステップＳ５１の処理が行われる。
【００７９】
一方、ステップＳ７２の判定結果により、ＥＨＣ２１の温度Ｃａ２がオーバーヒート温度Ｃａ０２以上である場合に（ステップＳ７２：ＹＥＳ）、ハイブリッドＥＣＵ３０により、ＥＨＣ２１への通電が停止される（ステップＳ７３）。続いて、三元触媒２４の温度Ｃｂ３が未だ上昇しているか否かが判定される（ステップＳ７４）。この判定の結果、三元触媒２４の温度Ｃｂ３が未だ上昇している場合に（ステップＳ７４：ＹＥＳ）、ハイブリッドＥＣＵ３０により、モータリングが継続される（ステップＳ７５）。
【００８０】
一方、ステップＳ７５の判定結果により、三元触媒２４の温度Ｃｂ３の上昇が終わった場合に（ステップＳ７４:ＮＯ）、モータリングが停止され（ステップＳ７６）、一連の第３触媒暖機制御処理が終了される。尚、一連の第３触媒暖機制御処理の途中であって、ＥＨＣ２１への通電及びモータリングの最中に、回生発電が停止された場合に、その通電及びモータリングが停止され、再びステップＳ５１の処理が行われる。
【００８１】
このように、ＥＨＣ２１又は三元触媒２３がオーバーヒート温度Ｃａ０２又はＣｂ０２に達した場合に、モータリングの停止に先立ってＥＨＣ２１への通電を停止するので、ＥＨＣ２１又は三元触媒２３の過加熱を防止することができる。また、三元触媒２３の温度上昇が終わるまでモータリングを継続して、通電の停止後にも排気通路に空気を送ることで、三元触媒２３を確実に暖機することができる。
＜第２実施形態＞
次に、第２実施形態に係るハイブリッド自動車の触媒暖機制御装置の構成について図５を参照して説明する。ここに図５は、第２実施形態に係るハイブリッド自動車の触媒暖機制御装置の概要を示すブロック図である。尚、第２実施形態について、図１に示した第１実施形態との相違のみを説明し、第１実施形態の場合と同様に機能する要素について、同一の記号を付す。
【００８２】
図５において、本実施形態に係るハイブリッド自動車２００は、図１に示したハイブリッド自動車１００と比較して、流量センサ２５を備え、排気通路２０の流量に基づいてＥＨＣ２１への通電停止の判定を行う点が異なる。
【００８３】
流量センサ２５は、排気通路２０における三元触媒２３より下流に配置されている。流量センサ２５は、排気通路２０の流量を取得し、該流量を示す記号をエンジンＥＣＵ３１に送信する。
【００８４】
エンジンＥＣＵ１３１は、流量センサ２５による排気通路２０の流量Ｆ１が零である（即ち、モータリングにより燃焼室から押し出される空気の流れがなくなる）か否かを判定する。エンジンＥＣＵ１３１は、この判定結果をハイブリッドＥＣＵ３０に送信する。
【００８５】
（第４触媒暖機制御処理）
本実施形態に係る第４触媒暖機制御処理について図６を参照して説明する。ここで図６は、本実施形態に係る第４触媒暖機制御処理を示すフローチャートである。図６において、図２から図４と同様のステップには同様のステップ番号を付し、それらの説明は適宜省略する。図４に示した第３触媒暖機制御処理では、ＥＨＣ２１への通電が停止された後に、モータリングが停止されるが、第４触媒暖機制御処理では、モータリングが停止された後に、ＥＨＣ２１への通電が停止される。
【００８６】
図６において、図１に示したステップＳ５１、Ｓ５３〜Ｓ５９と同様の処理が行われる。
【００８７】
ここで特にステップＳ５９において、三元触媒２４の触媒温度Ｃｂ１が三元触媒の活性温度Ｃｂ０１以上である場合に（ステップＳ５９：ＹＥＳ）、ハイブリッドＥＣＵ３０により、モータリングが停止される（ステップＳ８１）。続いて、エンジンＥＣＵ１３１により、排気通路２０の流量Ｆ１が零であるか否かが判定される（ステップＳ８２）。この判定の結果、流量Ｆ１が零でない場合に（ステップＳ８２:ＮＯ）、流量Ｆ１が零となるまで待機状態となる。
【００８８】
一方、ステップＳ８２の判定結果により、排気通路２０の流量Ｆ１が零である場合に（ステップＳ８２：ＹＥＳ）、ハイブリッドＥＣＵ３０により、ＥＨＣ２１への通電が停止され（ステップＳ８３）、一連の第４触媒暖機制御処理が終了される。尚、一連の第４触媒暖機制御処理の途中であって、ＥＨＣ２１への通電及びモータリングの最中に、回生発電が停止された場合に、先ずモータリングが停止される。この後に、排気通路２０の流量Ｆ１が零の場合に、ＥＨＣ２１への通電が停止され、再びステップＳ５１の処理が行われる。
【００８９】
このように、モータリングが停止された後に、モータリングによる空気の流れがなくなるまでＥＨＣ２１への通電を継続することで、モータリングにより送られた空気により、ＥＨＣ２１及び／又は三元触媒２３が冷却され、ＥＨＣ２１及び／又は三元触媒２３の温度が低下するのを防止することができる。
【００９０】
尚、第４触媒暖機制御処理では、ステップＳ８２により、ＥＨＣ２１への通電停止を、排気通路２０の流量Ｆ１に基づいて判定するが、エンジン１０の回転数に基づいて判定してもよい。
＜第３実施形態＞
次に、第３実施形態に係るハイブリッド自動車の触媒暖機制御装置の構成について図７を参照して説明する。ここに図７は、第３実施形態に係るハイブリッド自動車の触媒暖機制御装置の概要を示すブロック図である。尚、第３実施形態について、図５に示した第２実施形態との相違のみを説明し、第２実施形態の場合と同様に機能する要素について、同一の記号を付す。
【００９１】
図７において、本実施形態に係るハイブリッド自動車３００は、図５に示したハイブリッド自動車２００と比較して、通電コントローラ１８を備え、エンジン１０の回転数に応じてＥＨＣ２１への通電量を増減する点が異なる。
【００９２】
通電コントローラ１８は、インバータ１４とＥＨＣ２１との間に配置されており、エンジンＥＣＵ２３１の制御により、ＥＨＣ２１に供給される電力（即ち、ＥＨＣ２１への通電に係る通電量）を増減する。本実施形態では、この通電量は、エンジン１０の回転数ＮＥ１に対応される。
【００９３】
エンジンＥＣＵ２３１は、エンジン１０の回転数ＮＥ１を検出すると共に、この検出された回転数ＮＥ１に基づいて、ＥＨＣ２１への通電に係る通電量を算出する。
【００９４】
次に、本実施形態に係る通電制御手段における通電量の算出について図８を参照して説明する。ここに図８は、本実施形態に係る内燃機関の回転数及び通電加熱触媒への通電に係る通電量の関係を示す。
【００９５】
図８に示した関数は、横軸にエンジン１０の回転数ＮＥ１を、縦軸に通電量を示す。図８において、回転数ＮＥ１が低くなる程、通電量が零に近付く。本実施形態では、エンジンＥＣＵ２３１は、回転数ＮＥ１が低い（即ち、排気通路２０における空気の流量が少ない）程、ＥＨＣ２１が冷却され難くなるとして、通電量を低減する。この通電量の低減により、ＥＨＣ２１が適度に加熱される。
【００９６】
（第５触媒暖機制御処理）
本実施形態に係る第５触媒暖機制御処理について図９を参照して説明する。ここで図９は、本実施形態に係る第５触媒暖機制御処理を示すフローチャートである。図９において、図２から図４又は図６と同様のステップには同様のステップ番号を付し、それらの説明は適宜省略する。第５触媒暖機制御処理では、ＥＨＣ２１への通電の際に、その通電量が制御される。
【００９７】
図９において、図６に示したステップＳ５１、Ｓ５３〜Ｓ５９、及びＳ８１と同様の処理が行われる。
【００９８】
ここでステップＳ８１のモータリングの停止に続いて、エンジンＥＣＵ２３１により、エンジン１０の回転数ＮＥ１が検出され（ステップＳ９１）、回転数ＮＥ１に基づいてＥＨＣ２１への通電に係る通電量が算出される。すると、通電コントローラ１８により、この算出された通電量が設定される（ステップＳ９２）。この設定により、ＥＨＣ２１に対する通電量が、回転数ＮＥ１に対応される。
【００９９】
続いて、エンジンＥＣＵ２３１により、エンジン１０の回転数ＮＥ１が零であるか否かが判定される（ステップＳ９３）。この判定の結果、回転数ＮＥ１が零でない場合に（ステップＳ９３:ＮＯ）、再びステップＳ９１の処理が行われる。
【０１００】
一方、ステップＳ９３の判定結果により、エンジン１０の回転数ＮＥ１が零である場合に（ステップＳ９３：ＹＥＳ）、ハイブリッドＥＣＵ３０により、ＥＨＣ２１への通電が停止され（ステップＳ９４）、一連の第５触媒暖機制御処理が終了される。尚、一連の第５触媒暖機制御処理の途中であって、ＥＨＣ２１への通電及びモータリングの最中に、回生発電が停止された場合に、先ずモータリングが停止される。この後に、ステップＳ９１の処理が行われる。
【０１０１】
このように、エンジン１０の回転数ＮＥ１が低くなるに連れて、ＥＨＣ２１への通電に係る通電量を低減することで、ＥＨＣ２１が過剰に加熱されることを防止し、ＥＨＣ２１及び／又は三元触媒２３を常時適温に維持することができる。
【０１０２】
尚、第５触媒暖機制御処理では、ステップＳ９３により、ＥＨＣ２１への通電停止を、エンジン１０の回転数ＮＥに基づいて判定するが、排気通路２０の流量に基づいて判定してもよい。
【０１０３】
本発明は、上述した実施形態に限られるものではなく、請求の範囲及び明細書全体から読み取れる発明の要旨或いは思想に反しない範囲で適宜変更可能である。
【図面の簡単な説明】
【０１０４】
【図１】第１実施形態に係るハイブリッド自動車の触媒暖機制御装置を示す概要的なブロック図である。
【図２】第１実施形態における第１触媒暖機制御処理を示すフローチャートである。
【図３】第１実施形態における第２触媒暖機制御処理を示すフローチャートである。
【図４】第１実施形態における第３触媒暖機制御処理を示すフローチャートである。
【図５】第２実施形態に係るハイブリッド自動車の触媒暖機制御装置を示す概要的なブロック図である。
【図６】第２実施形態における第４触媒暖機制御処理を示すフローチャートである。
【図７】第３実施形態に係るハイブリッド自動車の触媒暖機制御装置を示す概要的なブロック図である。
【図８】本発明に係る内燃機関の回転数対通電加熱触媒への通電に係る通電量の関係を示すグラフである。
【図９】第３実施形態における第５触媒暖機制御処理を示すフローチャートである。
【符号の説明】
【０１０５】
１０…内燃機関、１３…ジェネレータ、１６…モータ、２１…ＥＨＣ、２２…ＥＨＣ温度センサ、３０…ハイブリッドＥＣＵ、３１…エンジンＥＣＵ、３２…モータＥＣＵ、１００…ハイブリッド自動車
【図１】
2009227039.tif 000003
【図２】
2009227039.tif 000004
【図３】
2009227039.tif 000005
【図４】
2009227039.tif 000006
【図５】
2009227039.tif 000007
【図６】
2009227039.tif 000008
【図７】
2009227039.tif 000009
【図８】
2009227039.tif 000010
【図９】
2009227039.tif 000011